(57)【要約】【課題】左利き右利きに対応できる携帯型情報端末カバーを提供する。【解決手段】  ベース部１とヒンジ部２と蓋部３とで構成した覆い体Ａと、撮影機能付の携帯型情報端末ａを嵌め込んで保持するボックスＢとからなり、ボックスＢの上縁部に情報端末のレンズに合致する貫窓６と、ベース部１の裏面両側縁のガイドレール８と、ボックスＢの裏面にガイドレール８に係合するスライダ９と、ベース部１の裏面両側の左側の溝条１１及び右側の溝条１２と、左側の溝条１１内の上向き係止突片１３と、右側の溝条１２内の下向き係止突片１５と、ボックスＢの裏面に覆い体Ａの左利き或いは右利きの変位にともない係止突片１３又は１５と接触してボックスＢの突出位置決めする下側ストッパ２１と上側ストッパ２３とを設けた構成を採用する。【選択図】図１
2017192083.tif 000002
【特許請求の範囲】
【請求項１】
ベース部と、このベース部の一側縁にヒンジ部を介し開閉自在に設けた蓋部とで構成した覆い体と、この覆い体の上記ベース部の裏面側に重ねると共に、表面側の開口から嵌め込んで撮影機能付携帯型情報端末を保持するボックスと、このボックスの上縁部に上記情報端末のレンズに合致するように設けた貫窓と、上記ベース部の裏面両側縁に並設したガイドレールと、上記ボックスの裏面に上記ガイドレールに係合するよう設けて前記ボックスの上縁部が前記ベース部の上縁に対し出没するよう上下方向にスライドするスライダと、上記ガイドレールの途中に上記係合関係のスライダの係合を解除できるように設けた係合解除部と、上記ベース部の裏面両側に並設した縦長な左側の溝条及び右側の溝条と、この左側の溝条内の中間に設けた上向き突端に係止突片を有する左弾片と、上記右側の溝条内に設けた下向き尖端に係止突片を有する右側弾片と、上記ボックスの裏面で、上記覆い体の左利き或いは右利きの変位にともない上記左側の溝条内に嵌まり込む位置の上下に配置すると共に、下側に係止突片との当接でボックスの突出位置決めする下側ストッパと、この下側ストッパの上方上下が一対で、上記ボックスの没入スライド終了にともない上記係止突片を押し戻す突部と、この突部の上側に設けて上記係止突片に当接する上側ストッパとからなる携帯型情報端末用カバー。
【発明の詳細な説明】
【技術分野】
【０００１】
この発明は、撮影機能を有する携帯型情報端末用カバーに関する。
【背景技術】
【０００２】
スマートフォンやタブレット型端末は、周知のようにカメラ（撮影）機能が具備されており、そして端末を保護するためなどの目的によりカバーを装着して携行する（例えば、特許文献１参照）。
【先行技術文献】
【特許文献】
【０００３】
【特許文献１】実用新案登録第３１９８９７６号公報
【発明の概要】
【発明が解決しようとする課題】
【０００４】
ところで、特許文献１のカバーの覆い体は、ベース部と、このベース部の一側縁にヒンジ部を介し開閉自在に設けた蓋部とで構成され、そしてベース部の裏面側には、ベース部の上縁に対し上部が出没自在にスライドするようにガイド手段によりガイドされると共に、開放する表面側から嵌め込んだ撮影機能付携帯型情報端末が保持されるボックスが設けてある。
【０００５】
なお、蓋部は、右側にあって開閉操作できるようになっている。
この要因は、右利きの人に対し蓋部の開閉及び携帯型情報端末を上下方向にスライドさせる操作をしやすくすることにある。
【０００６】
しかしながら、左利きの人は、上述の操作が逆になるので、操作がしにくい問題があった。
【０００７】
そこで、この発明は、上述の問題を解決した携帯型情報端末用カバーを提供することにある。
【課題を解決するための手段】
【０００８】
上記の課題を解決するために、この発明は、ベース部と、このベース部の一側縁にヒンジ部を介し開閉自在に設けた蓋部とで構成した覆い体と、この覆い体の上記ベース部の裏面側に重ねると共に、表面側の開口から嵌め込んで撮影機能付携帯型情報端末を保持するボックスと、このボックスの上縁部に上記情報端末のレンズに合致するように設けた貫窓と、上記ベース部の裏面両側縁に並設したガイドレールと、上記ボックスの裏面に上記ガイドレールに係合するよう設けて前記ボックスの上縁部が前記ベース部の上縁に対し出没するよう上下方向にスライドするスライダと、上記ガイドレールの途中に上記係合関係のスライダの係合を解除できるように設けた係合解除部と、上記ベース部の裏面両側に並設した縦長な左側の溝条及び右側の溝条と、この左側の溝条内の中間に設けた上向き突端に係止突片を有する左弾片と、上記右側の溝条内に設けた下向き尖端に係止突片を有する右側弾片と、上記ボックスの裏面で、上記覆い体の左利き或いは右利きの変位にともない上記左側の溝条内に嵌まり込む位置の上下に配置すると共に、下側に係止突片との当接でボックスの突出位置決めする下側ストッパと、この下側ストッパの上方上下が一対で、上記ボックスの没入スライド終了にともない上記係止突片を押し戻す突部と、この突部の上側に設けて上記係止突片に当接する上側ストッパとからなる構成を採用する。
【発明の効果】
【０００９】
以上のように、この発明の携帯型情報端末用カバーによれば、撮影に際し蓋部を開放したのち、情報端末に指先を押し付けて上方に情報操作端末と共にボックスを上方にスライドする。
【００１０】
すると、左側の溝条内の下側ストッパと共に突部及び上側ストッパが上方に移動し、この移動にともない突部により弾片を押し戻して乗り越えながら、突片と下側ストッパとの当接によって、ボックスの突出停止位置決めと同時にベース部によるボックスの貫窓の閉鎖が解除され、撮影が可能になる。
【００１１】
勿論、ボックスの没入時には、係止突片が上側ストッパと突部間に位置して、ボックスの突出方向のスライドを止めて、ボックスの没入維持をはかる。
【００１２】
覆い体（蓋部）の開閉及び情報端末の操作は、右利きの人と左利きの人によって異なる。そこで、まず右利きの人には、蓋部が左側で、情報端末が右側になるようにする。
【００１３】
この場合、左側の溝条内には下側ストッパ、突部及び上側ストッパが位置する。
この状況下で、右手でボックスを出没方向にスライドさせ、また蓋部は左側にあるので、左手で開閉操作をする。
【００１４】
しかしながら、左利きの人の場合にあっては、係合解除部によりガイドレールに対するスライダの係合を解除して、ベース部からボックスを取り外したのち、覆い体の蓋部の位置を左側から右側になるように回して変位し、次いで、ガイドレールにスライダを係合関係にして、ベース部にボックスを重ねる。
【００１５】
すると、左利きの際、右側に位置し、変位にともない右側から左側に移動した左側の溝案内に下側ストッパ、突部及び上側ストッパが位置し、蓋部は右側に、ボックスと共に嵌め込み支持させてある情報端末は、左側になり、右手で蓋部の開閉操作を、左手でボックスと共に情報端末を出没方向にスライド操作する。
【００１６】
このため、右利きの人、左利きの人の対応を、ボックスを取り外し、次いで覆い体を回して変位後、ベース部にボックスを戻す極めて簡単な操作で行うことができる。
【図面の簡単な説明】
【００１７】
【図１】この発明の実施形態を示す分解斜視図である。
【図２】同上のボックスをセットした状態を示す正面図である。
【図３】同上の縦断側面図である。
【図４】ボックスを上方にスライドさせた縦断正面図である。
【図５】同上の縦断側面図である。
【図６】弾片の作用を示す縦断拡大側面図である。
【図７】ガイドレールとスライダを示す横断平面図である。
【図８】左利きの状態を示す分解斜視図である。
【図９】同上のボックスをセットした状態の正面図である。
【発明を実施するための形態】
【００１８】
次に、この発明の実施形態を添付図面に基づいて説明する。
この発明の図１から図７に示すＡは、保持した携帯型情報端末ａを収納するカバーの覆い体である。
【００１９】
この覆い体Ａは、例えば二枚の重ね合わせた軟質な合成樹脂シートやその他の例えば合成皮革の周縁をシール（例えば溶着などにより）し、かつ内部に厚紙などの芯板を封じ込んだベース部１と、このベース部１の一側縁にヒンジ部２を介し開閉自在に設けた蓋部３とで構成されている。
【００２０】
なお、ヒンジ部２は、細幅な帯状部の両側縁と連なるベース部１及び蓋部３との境とが折れ線となるように構成され、上記覆い体Ａは、上述の形式に限定されず、その他の構成によって形成することができる。
【００２１】
また、ベース部１の裏面側には、ベース部１の上縁に対し上部が出没自在にスライドするようにガイドされると共に、開放する表面側から嵌め込んだ撮影機能付携帯型情報端末ａが保持されると共に、ベース部１に対し着脱自在になるボックスＢが設けてある。
【００２２】
このボックスＢは、底板４と、この底板４の周縁から連なって底板４の表面側に突出する周辺板５とで構成され、この底板４の上部で、嵌め込み保持させた携帯型情報端末ａの撮影機能としてのレンズ（図示省略）に合致する部分には、貫窓６が設けてある。
【００２３】
なお、ボックスＢは、撮影にともなうフラッシュの閃光に干渉されない合成樹脂製成型品などが望ましい。
【００２４】
上記ベース部１に対するボックスＢの着脱自在なガイドは、ベース部１の裏面側に接着（粘着）などで取り付けた板状体７の両側部に上部及び下部にそれぞれ左右二条の縦長な溝状のガイドレール８を設け、この各ガイドレール８にボックスＢの底板４表面の両側左右一対が一組で、上下に配置したＬ形のスライダ９を設けて、この各スライダ９を各ガイドレール８に係合関係になってボックスＢを上下方向にスライドさせるようにしてあり、そして、各ガイドレール８の途中の一側縁にスライダ９を嵌め込み、また嵌め込んだスライダ９を脱出させる（係合解除部としての）コ字状の切欠き１０を設けて、ガイドレール８に対するスライダ９の係合関係、係合関係を解除することで、ベース部１（図示板状体７に対する）に対する着脱が可能になるようにしてある。
【００２５】
また、ベース部１の裏面（図示板状体７の表面）中央部の両側に縦長な左側の溝条１１と右側の溝条１２とが設けてあり、この両溝条１１、１２内の中間部分、左側の溝条１１には、上向き尖端にボックスＢの底板４方向に突出する係止突片１３を有する左弾片１４が、右側の溝条１２には、下向き尖端にボックスＢの底板４方向に突出する係止突片１５を有する右弾片１６が設けてある。
【００２６】
上記左弾片１４及び右弾片１６は、図３に示すように、底板４にコ字状の切り込み１７を入れて、この切り込み１７の内側に設ける。
【００２７】
さらに、ボックスＢのベース部１に重なる（図示の場合は、底板４に）面には、左側の溝条１１内に存在して、ボックスＢの突出方向スライドにともない突片１３に当接する下側ストッパ２１を設けて、この当接によりボックスＢの上縁突出度合いを規制するので、貫窓６のベース部１による閉鎖が解除され、撮影が可能になる。
【００２８】
一方、ボックスＢを没入方向にスライドさせると、下側ストッパ２１の上方で、上下の下側に突部２２を、上側に上側ストッパ２３をそれぞれボックスＢに設けておく。
【００２９】
すると、ボックスＢの没入方向のスライドにともない没入終了直前に突部２２と係止突片１３の当接によって左弾片１４を押し逃がし、この押し逃がしにより左弾片１４の係止突片１３が通過し、通過後突部２２と上側ストッパ２３との間に復帰した係止突片１３が存在して、ボックスＢのスライドを止める。
【００３０】
このため、没入したボックスＢのスライドを止める。
このとき、貫窓６は、ベース部１で閉鎖されている。また、右側の溝条１２内には、下側ストッパ２１、突部２２、上側ストッパ２３が存在しない。
【００３１】
上記のように構成すると、覆い体Ａに装備した情報端末ａは、左利きの人と、右利きの人とで操作が異なる。
【００３２】
右利きの人の場合は、図１、図２に示すように、左側に蓋部２を、右側に情報端末ａのセットずみ（ボックスＢと共に）ベース部１を位置させる。
【００３３】
すると、左手で蓋部３の開閉を、右手で情報端末ａを出没スライドし、また情報端末ａを操作する。
なお、ボックスＢの出没操作にともなう下側ストッパ２１、突部２２及び上側ストッパ２３の作用は、前述に説明してあるので省略する。
【００３４】
左利きの人の場合は、ベース部１からボックスＢを取り外す。
この取り外しは、切欠き１０内に納まるようスライダ９を停止することで、取り外すことができる。
【００３５】
次に、図８、図９に示すように右側に蓋部３が、左側にベース部１が位置するように覆い体Ａを回して変位する。
【００３６】
次に、取り外してあるボックスＢをベース部１に戻す（取り付ける）。
この戻しは、各切欠き１０に各スライダ９を嵌め込み、ガイドレール８とスライダ９のそれぞれが係合関係になるようにする。
【００３７】
このとき、溝条１２内に下側ストッパ２１、突部２２及び上側ストッパ２３が存在することになる。
【００３８】
すると、右手で右側の蓋部３を開閉し、左手でボックスＢの出没スライド及び情報端末ａの操作を行う。
【００３９】
なお、ボックスＢの出没操作にともなう溝条１２内に存在する下側ストッパ２１、突部２２及び上側ストッパ２３の作用は、前述と同様につき説明を省略する。
【００４０】
また、図１、図７、図８に示すようにベース部１にハーフカットのヒンジ２５を設けて、ベース部７が中折れするようにすることで、左弾片１４や右弾片１６による係止突片１３、１５の係合をピンなどにより解除することができる。
【００４１】
なお、二条の溝条１１、１２は、覆い体Ａを回して変位させた際に、上下直列状に並ぶ上側ストッパ２３、突部２２及び下側ストッパ２１が常に片側の溝条２２或いは１２に嵌まり込むようにする。
【符号の説明】
【００４２】
Ａ    覆い体
ａ    情報端末
Ｂ    ボックス
１    ベース部
２    ヒンジ部
３    蓋部
４    底板
５    周辺板
６    貫窓
７    板状体
８    ガイドレール
９    スライダ
１０  切欠き
１１  溝条
１２  溝条
１３  係止突片
１４  左弾片
１５  係止突片
１６  右弾片
１７  切り込み
２１  下側ストッパ
２２  突部
２３  上側ストッパ
２５  ハーフカットのヒンジ
【図１】
2017192083.tif 000003
【図２】
2017192083.tif 000004
【図３】
2017192083.tif 000005
【図４】
2017192083.tif 000006
【図５】
2017192083.tif 000007
【図６】
2017192083.tif 000008
【図７】
2017192083.tif 000009
【図８】
2017192083.tif 000010
【図９】
2017192083.tif 000011